(57)【要約】【課題】送信コントローラの故障や配線の断線による表示異常を検出し、自動的に系統を切り替えて、安定した映像信号を大型映像表示装置に送信することができる映像表示システムを提供する。【解決手段】本発明の映像表示システムでは、映像信号を生成する部分である操作室１とその映像信号を表示する部分である大型映像表示装置２とが別々の場所に設けられている構成である。操作室１には、映像信号を生成する映像信号生成部となるビデオシステム３と映像信号を大型映像表示装置２送信するためのＡ及びＢ系送信コントローラ４，５が設けられている。大型映像表示装置２には、映像信号の受信部であるＡ及びＢ系受信部６，７、映像信号の送信手段における異常を検出する検出部８、送信手段の系統を切り替える切替部９、切替部９を制御する切替制御部１０と映像信号を表示する表示部１１が設けられている。【選択図】        図１
2004172701.tif 000002
【特許請求の範囲】
【請求項１】
映像信号を生成する映像信号生成部と、
前記映像信号を送信するための独立した複数の系統を有する送信手段と、
前記送信手段の複数の系統を切り替え、前記送信手段のいずれかの系統を選択する切替手段と、
前記切替手段により選択された前記送信手段の系統から送信された前記映像信号を表示する表示部とからなる映像表示システムであって、
前記送信手段の系統の異常を検出する異常検出手段と、
前記切替手段を制御して前記異常検出手段で検出された異常のある前記送信手段の系統を正常な前記送信手段の系統に切り替える切替制御手段とをさらに備えることを特徴とする映像表示システム。
【請求項２】
請求項１に記載された映像表示システムであって、
前記送信手段は、系統ごとに前記映像信号を送信する送信コントローラと、
前記送信コントローラから送信された前記映像信号を系統ごとに伝搬する配線と、
前記配線を伝搬してきた前記映像信号を系統ごとに受信する受信部を有することを特徴とする映像表示システム。
【請求項３】
請求項１に記載された映像表示システムであって、
前記送信手段は、系統ごとに前記映像信号を無線通信で送信する送信コントローラと、
無線通信により送信されてきた前記映像信号を系統ごとに受信する受信部を有することを特徴とする映像表示システム。
【請求項４】
請求項２に記載された映像表示システムであって、
前記配線は、系統ごとに前記送信コントローラから送信されてきた前記映像信号を光信号に変換する電気−光変換器と、
前記光信号を系統ごとに伝搬させる光ケーブルと、
前記光ケーブルを伝搬してきた前記光信号を系統ごとに前記映像信号に変換し、前記受信部に送信する光−電気変換器とを有することを特徴とする映像表示システム。
【請求項５】
請求項１に記載された映像表示システムであって、
前記送信手段は、系統ごとに異なる構成であることを特徴とする映像表示システム。
【請求項６】
請求項１乃至請求項５のいずれかに記載された映像表示システムであって、
前記表示部は複数の表示領域に分けられ、前記表示領域ごとに複数の系統を有する前記送信手段がそれぞれ接続され、
前記送信手段の系統を切り替えるための前記切替手段が前記表示領域ごとに設けられ、
前記切替制御手段が前記切替手段を制御して、前記表示領域ごとに前記異常検出手段で検出された異常のある前記送信手段の系統を正常である前記送信手段の系統に切り替えることを特徴とする映像表示システム。
【請求項７】
請求項６に記載された映像表示システムであって、
前記表示領域ごとに前記異常検出手段と前記切替制御手段とを設けたことを特徴とする映像表示システム。
【請求項８】
請求項１乃至請求項５のいずれかに記載された映像表示システムであって、
前記切替手段は、前記映像信号生成部と前記送信手段との間に設けられ、前記異常検出手段で検出された異常のある前記送信手段の系統を正常である前記送信手段の系統に切り替えることを特徴とする映像表示システム。
【発明の詳細な説明】
【０００１】
【発明の属する技術分野】
本発明は、映像表示システムに係る発明であって、特に、システムを多重化して長時間安定した映像を表示することができる映像表示システムに関するものである。
【０００２】
【従来の技術】
球場や街頭に設置されている映像表示システムは、一般的に映像を編集するための各種ビデオ機器がある操作室で映像信号が生成され、その映像信号が表示を行う大型映像表示装置に送られて映像が表示されるシステムとなっている。操作室から大型映像表示装置までの映像信号の送信には、送信コントローラや配線などを介して行われる。しかし、送信コントローラが故障したり、配線が途中で断線したりすると、操作室から大型映像表示装置へ映像信号がうまく送信することができず、大型映像表示装置に映像が表示できなかったり、正常な画像が得られなかったりする場合があった。
【０００３】
特に、映像表示システムは家庭用の映像システムと異なり公営競技場でオッズや払戻金の表示を行う場合があり、映像の表示が乱れたり、表示できなかったりすると多くの人に影響を与えることになる。また、映像表示システムが街頭のビルの壁面に広告用として設置されている場合に映像が表示できないと、広告主と契約しているコマーシャル映像を放映できなくなり、大きな問題となることがある。
【０００４】
そこで、従来の技術では操作室から大型映像表示装置への配線を２重化し、配線の断線による表示異常が発生すると操作室のオペレータが手動で正常な表示を行える配線に切り替えて対処していた。
【０００５】
また、映像表示システムと用途は異なるが、航空管制や指揮統制などの監視等の用途に用いられる高信頼性表示装置では、常時連続運用、常時表示が要求される。そのため、特許文献１ではＣＰＵ系統を２重化した表示装置を有し、ＣＰＵ系統の切替時間内であっても、障害発生以前の状態の画面表示を保持し表示できる高信頼性表示装置が示されている。
【０００６】
【特許文献１】特開２０００−１７２４８２号公報（第３−５頁、第１及び第３図）
【０００７】
【発明が解決しようとする課題】
しかし、従来の技術で示した操作室から大型映像表示装置への配線を２重化し、オペレータが手動で配線に切り替える映像表示システムでは、常にオペレータが大型映像表示装置に表示されている映像を監視しておく必要があり、オペレータが不在のときに断線等の故障が発生すると正常な映像を大型映像表示装置に表示できなくなる問題があった。また、オペレータを常駐させておく必要があるため人件費のコストが高くなる映像表示システムであった。
【０００８】
また、特許文献１で示した高信頼性表示装置では、ＣＰＵ系統を２重化し、ＣＰＵに障害が発生した場合に有効な手段であって、映像表示システムのような映像信号の送信系統で発生する障害に対しては何らの対処も行えない。
【０００９】
そこで、本発明は上記の問題点を解決するためになされた発明であり、送信コントローラの故障や配線の断線による表示異常を検出し、自動的に送信の系統を切り替えて、安定した映像信号を大型映像表示装置に送信することができる映像表示システムを提供することを目的とする。
【００１０】
【課題を解決するための手段】
本発明に係る解決手段は、映像信号を生成する映像信号生成部と、映像信号を送信するための独立した複数の系統を有する送信手段と、送信手段の複数の系統を切り替え、送信手段のいずれかの系統を選択する切替手段と、切替手段により選択された送信手段の系統から送信された映像信号を表示する表示部とからなる映像表示システムであって、送信手段の系統の異常を検出する異常検出手段と、切替手段を制御して異常検出手段で検出された異常のある送信手段の系統を正常な送信手段の系統に切り替える切替制御手段とをさらに備える。
【００１１】
【発明の実施の形態】
以下、本発明をその実施の形態を示す図面に基づいて具体的に説明する。
【００１２】
（実施の形態１）
図１に、本実施の形態に係る映像表示システムのブロック図を示す。本実施の形態の映像表示システムでは、映像を生成する部分である操作室１とその映像を表示する部分である大型映像表示装置２とが別々の場所に設けられている構成である。つまり、球場で使用される大型映像表示装置２（例えばオーロラビジョン（登録商標））がバックスクリーン上に設けられ、表示する映像を生成等する操作室１は球場の一室に設けられているような構成である。
【００１３】
この操作室１には、映像を生成する映像信号生成部となるビデオシステム３と映像を大型映像表示装置２に送信するためのＡ系送信コントローラ４及びＢ系送信コントローラ５が設けられている。このＡ系送信コントローラ４及びＢ系送信コントローラ５にビデオシステム３から送られてくる映像は、全く同じ映像である。これは、映像表示システムが常に安定した表示を確保しなければならないため、映像を２重化して大型映像表示に送信しているためである。
【００１４】
一方、大型映像表示装置２には、映像の受信部であるＡ系受信部６及びＢ系受信部７、映像の送信における異常を検出する検出部８、送信の系統を切り替える切替部９、切替部９を制御する切替制御部１０と映像を表示する表示部１１が設けられている。なお、図１では図示していないが、表示部１１は複数の表示領域に分割されている。そのため、図１に示す大型映像表示装置２では、複数の表示領域に対応してＡ系受信部６、Ｂ系受信部７、検出部８及び切替部９がそれぞれ設けられている。しかし、本発明は必ずしも表示部１１を複数の表示領域に分割する必要なく、Ａ系受信部６、Ｂ系受信部７、検出部８及び切替部９が１セットしか設けられていない映像表示システムであっても良い。
【００１５】
図１の送信手段１２は、操作室１側にＡ系送信コントローラ４及びＢ系送信コントローラ５を設け、大型映像表示２側にＡ系受信部６及びＢ系受信部７を設けて、それらを金属配線で繋ぐことにより構成されている。ここで、Ａ系送信コントローラ４及びＡ系受信部６は、Ｂ系送信コントローラ５及びＢ系受信部７とは独立して金属配線で接続されているため、それぞれの間での映像の送信は互いに影響を受けない。なお、本発明では送信手段１２の系統を２重化する場合に限らず、必要があれば３以上に多重化した送信手段１２の系統にも適用することができる。
【００１６】
以上のように構成されている本実施の形態の映像表示システムについて、その動作について図１に基づいて説明する。まず、ビデオシステム３で生成された映像信号１５は、Ａ系統の送信手段１２の一部であるＡ系送信コントローラ４とＢ系統の送信手段１２の一部であるＢ系送信コントローラ５に送られる。なお、上記で説明したようにＡ系送信コントローラ４とＢ系送信コントローラ５に送られる映像は同じ内容の映像信号１５である。
【００１７】
次に、Ａ系送信コントローラ４では、金属配線を介して映像信号１５を表示領域に対応して設けられた複数のＡ系受信部６に送信する。同様にＢ系送信コントローラ５でも、金属配線を介して映像信号１５を表示領域に対応して設けられた複数のＢ系受信部７に送信する。Ａ系受信部６及びＢ系受信部７で受信した映像信号１５はともに表示部１１に表示されるのではなく、Ａ系受信部６又はＢ系受信部７で受信した映像信号１５のどちらか一方が表示部１１に表示される。そのため、切替部９でＡ系受信部６又はＢ系受信部７で受信した映像信号１５のどちらを表示部１１に送信するか切り替えられる。図１では、Ａ系受信部６が表示部１１と接続されているため、Ａ系受信部６で受信した映像信号１５が表示部１１に表示される。
【００１８】
以上の動作は、送信手段１２に何らの問題もなく正常に映像表示システムが動作している場合について説明したが、Ａ系送信コントローラ４が故障したり、Ａ系統の送信手段１２の配線が断線したりするなど問題が発生した場合、Ａ系統の送信手段１２を切替部９が選択したままであれば、ビデオシステム３で生成した映像信号１５は表示部１１で正しく表示されない事態となる。
【００１９】
そこで、本実施の形態の映像表示システムでは、送信手段１２に異常が発生した場合に自動的に問題のない送信手段１２の系統に切り替える。その動作について図１に基づいて説明すると、例えば、Ａ系統の送信手段１２で映像信号１５を送信し表示部１１に映像を表示している場合に、Ａ系送信コントローラ４が故障すると、Ａ系受信部６に映像信号１５が送信されず表示部１１に映像が表示されなくなる。この場合、検出部８ではＡ系受信部６に映像信号１５が送信されていない異常を検出し、異常信号１６を切替制御部１０に送る。なお、この検出部８も表示領域に対応して複数設けられているため、個々の表示領域に対応して送信手段１２の異常を検出することが可能である。
【００２０】
切替制御部１０には検出部８から異常信号１６が送られることになるが、例えばＡ系送信コントローラ４が故障してＡ系受信部６に映像信号１５が送信されない場合は、表示領域に対応する全ての検出部８から異常信号１６が切替制御部１０に送られる。しかし、Ａ系統の送信手段１２の配線が個々のＡ系受信部６に枝分かれした部分で断線した場合は、断線により映像信号１５が受信できなくなったＡ系受信部６に対応する検出部８から異常信号１６が切替制御部１０に送られ、他の表示領域に対応して設けられた検出部８からは異常信号１６が送られることはない。この場合においても表示部１１には正しい映像が表示されない。
【００２１】
そのため、切替制御部１０では複数設けられた検出部８のうち１つからでも異常信号１６が送信されてくると、切替部９に制御信号１７を送り送信手段１２の系統を切り替える。図１のようにＡ系統の送信手段１２が選択されているときには、切替部９はＢ系統の送信手段１２に切り替えて、Ｂ系受信部７からの映像信号１５が表示部１１に表示されるように切り替える。なお、この切替部９も表示領域に対応して設けられている。そのため、送信手段１２の系統を切り替えるには、複数設けられた切替部９を全て切り替える必要がある。
【００２２】
これにより、Ａ系統の送信手段１２に問題が発生しても、自動的にＢ系統の送信手段１２に切り替えられるため、安定した映像信号１５を大型映像表示装置２に送信することができる映像表示システムとなる。さらに、操作室１にオペレータを常駐させておく必要がなく、人件費のコストを低く抑えることができる映像表示システムが可能である。
【００２３】
なお、図１に示した本実施の形態の映像表示システムでは、操作室１側にＡ系送信コントローラ４及びＢ系送信コントローラ５を設け、大型映像表示２側にＡ系受信部６及びＢ系受信部７を設けて、それらを金属配線で繋ぐことにより構成されている。しかし、本発明の送信手段１２ではこれに限らず、Ａ系送信コントローラ４及びＢ系送信コントローラ５とＡ系受信部６及びＢ系受信部７との間を無線通信により映像信号１５を送信する送信手段１２であっても良い（図示せず）。これにより、配線の設備が不要となりコストが低く抑えられ、配線の断線による送信手段１２の不具合を回避することができる。この場合でもＡ系送信コントローラ４とＡ系受信部６との無線通信は、通信周波数を変える等してＢ系送信コントローラ５とＢ系受信部７との無線通信とは独立に通信されている。そのため、Ａ系送信コントローラ４とＡ系受信部６との間での映像信号１５の送信は、Ｂ系送信コントローラ５とＢ系受信部７との間での映像信号１５の送信に影響を受けない。
【００２４】
また、実施の形態１では、映像表示システムに利用する場合について述べたが、例えば表示装置を使った館内映像表示システムや防災映像表示システムなどの映像表示装置を使った映像表示システムにも利用でき、安定した映像表示を得ることができる。
【００２５】
（実施の形態２）
図２に、本実施の形態に係る映像表示システムのブロック図を示す。本実施の形態の映像表示システムでは、映像を生成する部分である操作室１とその映像を表示する部分である大型映像表示装置２とが別々の場所に設けられている構成であり、基本的な部分は実施の形態１で説明した図１の映像表示システムと同じである。
【００２６】
そのため、図１の映像表示システムと異なる構成について説明する。本実施の形態の映像表示システムでは、図２に示すように、操作室１側にＡ系送信コントローラ４及びＢ系送信コントローラ５とさらにＡ系電気−光変換器２１及びＢ系電気−光変換器２２を設け、大型映像表示２側にＡ系受信部６及びＢ系受信部７とさらにＡ系光−電気変換器２３及びＢ系光−電気変換器２４を設けて、それらを光通信が可能な光ケーブル配線で繋ぐことにより、送信手段１２が構成されている。本実施の形態の映像表示システムでは、送信手段１２の一部の構成を光ケーブル配線に変更したため、実施の形態１の映像表示システムのように雷等の電気的ノイズが配線を流れ、検出手段８を誤動作させて不要な切替部９の動作を生じさせてしまう問題を回避することができる。
【００２７】
ここでＡ系送信コントローラ４及びＡ系受信部６は、Ｂ系送信コントローラ５及びＢ系受信部７とは独立して光ケーブル配線で接続されているため、それぞれの間での映像信号１５の送信は互いに影響を受けない。本実施の形態の映像表示システムでも、常に安定した表示を確保しなければならないため、映像信号１５を大型映像表示に送信する送信手段１２を２重化させている。なお、本発明では送信手段１２の系統を２重化する場合に限らず、必要があれば３以上に多重化した送信手段１２の系統にも適用することができる。
【００２８】
以上のように構成されている本実施の形態の映像表示システムについて、その動作について図２に基づいて説明する。しかし、基本的な動作は実施の形態１で説明した映像表示システムと同じであるため、図１の映像表示システムの動作とは異なる部分を中心に説明する。
【００２９】
まず、ビデオシステム３で生成された電気的な映像信号１５は、Ａ系統の送信手段１２の一部であるＡ系送信コントローラ４とＢ系統の送信手段１２の一部であるＢ系送信コントローラ５に送られる。次に、Ａ系送信コントローラ４に送られた映像信号１５（ここで、映像信号１５は電気的な信号である。以下同じ）は、Ａ系電気−光変換器２１で光信号に変換される。光信号は、光ケーブル配線を伝搬して大型映像表示２に設けられたＡ系光−電気変換器２３に送られ、再び映像信号１５に変換される。そして、映像信号１５は、表示領域に対応して設けられた複数のＡ系受信部６に送られる。
【００３０】
同様にＢ系送信コントローラ５に送られた映像信号１５も、Ｂ系電気−光変換器２２で光信号に変換される。光信号は、光ケーブル配線を伝搬して大型映像表示２に設けられたＢ系光−電気変換器２４に送られ、再び映像信号１５に変換される。そして、映像信号１５は、表示領域に対応して設けられた複数のＢ系受信部７に送られる。
【００３１】
切替部９は、Ａ系受信部６又はＢ系受信部７で受信した映像信号１５のどちらか一方を表示部１１に送信するように切り替える。図２では、Ａ系受信部６が表示部１１と接続されているため、Ａ系受信部６で受信した映像信号１５が表示部１１に表示される。しかし、Ａ系統の送信手段１２で映像信号１５を送信し表示部１１に映像を表示している場合にＡ系送信コントローラ４が故障すると、Ａ系受信部６に映像信号１５が送信されなくなる。
【００３２】
そこで、検出部８は、Ａ系受信部６に映像信号１５が送信されていない異常を検出し、異常信号１６を切替制御部１０に送る。切替制御部１０では複数設けられた検出部８のうち１つからでも異常信号１６が送信されてくると、切替部９に制御信号１７を送り送信手段１２の系統を切り替える。図２のようにＡ系統の送信手段１２が選択されているときには、切替部９はＢ系統の送信手段１２に切り替えて、Ｂ系受信部７からの映像信号１５が表示部１１に表示されるようにする。
【００３３】
これにより、本実施の形態でもＡ系統の送信手段１２に問題が発生した場合、自動的にＢ系統の送信手段１２に切り替えられるため、安定した映像信号１５を大型映像表示装置２に送信することができる映像表示システムとなる。さらに、操作室１にオペレータを常駐させておく必要がなく、人件費のコストも低く抑えることができる映像表示システムが可能である。
【００３４】
さらに、雷等の電気エネルギーが大きいノイズが送信手段１２の配線に生じても、本実施の形態ではもっとも影響の受けやすい操作室１と大型映像表示２との間が光ケーブル配線で接続されているため、検出部８に電気的ノイズが混入することもなく切替部９の誤動作を生じさせない。
【００３５】
なお、図２に示した本実施の形態の送信手段１２では、光ケーブル配線のみで２重化し操作室１と大型映像表示２とを繋ぐ構成が示されている。しかし、本発明の送信手段１２ではこれに限らず、操作室１と大型映像表示２とを金属配線と光ケーブル配線とで２重化して繋ぐ方法や光ケーブル配線と無線通信で２重化して繋ぐ方法などであっても良い（図示せず）。これにより、同種の送信手段１２で２重化した場合に比べ、送信手段１２の信頼性が高くなり配線の断線による送信手段１２の不具合を回避することができる。この場合でも、Ａ系送信コントローラ４とＡ系受信部６との間での映像信号１５の送信は、Ｂ系送信コントローラ５とＢ系受信部７との間での映像信号１５の送信に影響を受けない。
【００３６】
（実施の形態３）
図３に、本実施の形態に係る映像表示システムのブロック図を示す。本実施の形態の映像表示システムでは、映像を生成する部分である操作室１とその映像を表示する部分である大型映像表示装置２とが別々の場所に設けられている構成であり、基本的な部分は実施の形態１で説明した図１の映像表示システムと同じである。
【００３７】
そのため、図１の映像表示システムと異なる構成について説明する。本実施の形態の映像表示システムでは、図３に示すように検出部８と切替制御部１０が１つの検出・切替制御部３１で構成され、表示部１１を複数に分割した表示領域に対応してそれぞれに設けられている。そのため、本実施の形態の映像表示システムでは、表示領域ごとに独立して送信手段１２の系統を切り替えることができ、同じ表示領域で全ての系統の送信手段１２が故障するまで、安定した映像を表示することができ、信頼性の高い映像表示システムとなる。なお、図３ではＡ及びＢの２系統の送信手段１２が図示されているが、本発明では送信手段１２の系統を２重化する場合に限らず、必要があれば３以上に多重化した送信手段１２の系統にも適用することができる。
【００３８】
以上のように構成されている本実施の形態の映像表示システムについて、その動作について図３に基づいて説明する。しかし、基本的な動作は実施の形態１で説明した映像表示システムと同じであるため、図１の映像表示システムの動作とは異なる部分を中心に説明する。
【００３９】
まず、ビデオシステム３で生成された映像信号１５は、Ａ系統の送信手段１２の一部であるＡ系送信コントローラ４とＢ系統の送信手段１２の一部であるＢ系送信コントローラ５に送られる。次に、Ａ系統に送られた映像信号１５は、金属配線を伝搬して大型映像表示２の表示領域に対応して設けられた複数のＡ系受信部６に送られる。同様にＢ系統に送られた映像信号１５も、金属配線を伝搬して大型映像表示２の表示領域に対応して設けられた複数のＢ系受信部７に送られる。
【００４０】
切替部９は、Ａ系受信部６又はＢ系受信部７で受信した映像信号１５のどちらか一方を表示部１１に送信するように切り替える。図３では、Ａ系受信部６が表示部１１と接続されているため、Ａ系受信部６で受信した映像信号１５が表示部１１に表示される。しかし、Ａ系統の送信手段１２で映像信号１５を送信し表示部１１に映像を表示している場合、表示領域に対応するＡ系受信部６に枝分かれした金属配線の１つが断線すると、断線したＡ系受信部６のみに映像信号１５が送信されなくなり、表示部１１はその部分のみの映像が欠落した表示となる。
【００４１】
そこで、断線しているＡ系受信部６に設けられた検出・切替制御部３１は、Ａ系受信部６に映像信号１５が送信されていない異常を検出し、切替部９に制御信号１７を送り送信手段１２の系統を切り替える。図３のようにＡ系統の送信手段１２が選択されているときには、断線したＡ系受信部６のみ切替部９をＢ系統の送信手段１２に切り替えて、Ｂ系受信部７から映像信号１５が表示部１１に送信され表示されるようにする。
【００４２】
つまり、実施の形態１のようにＡ系統の送信手段１２に問題が発生した場合、全ての表示領域でＢ系統の送信手段１２に切り替えられていたのが、本実施の形態では、Ａ系統の送信手段１２に問題が発生した表示領域のみ自動的にＢ系統の送信手段１２に切り替えられる。これにより、本実施の形態でも安定した映像信号１５を大型映像表示装置２に送信することができる映像表示システムとなる。さらに、操作室１にオペレータを常駐させておく必要がなく、人件費のコストも低く抑えることができる映像表示システムが可能である。
【００４３】
さらに、本実施の形態では、表示領域ごとにＡ系統又はＢ系統の送信手段１２が混在することになるが、実施の形態１のように送信手段１２を単に２重化する映像表示システムに比べて、表示領域ごと送信手段１２を２重化し冗長性を持たせることで映像表示システム全体の信頼性をより向上させることができる。なお、実施の形態１又は実施の形態２で示した無線通信や光ケーブルの送信手段１２を本実施の形態においても利用することができる。
【００４４】
（実施の形態４）
図４に、本実施の形態に係る映像表示システムのブロック図を示す。本実施の形態の映像表示システムでは、映像を生成する部分である操作室１とその映像を表示する部分である大型映像表示装置２とが別々の場所に設けられている構成であり、基本的な部分は実施の形態１で説明した図１の映像表示システムと同じである。
【００４５】
そのため、図１の映像表示システムと異なる構成について説明する。実施の形態１では、表示領域ごとに複数の切替部９が設けられる構成であったが、本実施の形態の映像表示システムでは、図４に示すように切替部９がビデオシステム３とＡ系送信コントローラ４及びＢ系送信コントローラ５との間に設けられている。そのため、本実施の形態の映像表示システムでは、切替部９が１つで足り、部品点数を減らすことが可能で部品コストや組立コストを低減することができる。なお、大型映像表示２にある切替制御部１０から操作室１にある切替部９へ制御信号１７を伝搬する配線が別途必要になる。
【００４６】
以上のように構成されている本実施の形態の映像表示システムについて、その動作について図４に基づいて説明する。しかし、基本的な動作は実施の形態１で説明した映像表示システムと同じであるため、図１の映像表示システムの動作とは異なる部分を中心に説明する。
【００４７】
まず、ビデオシステム３で生成された映像信号１５は、切替部９に送られる。切替部９では、映像信号１５を大型映像表示２に送信する送信手段１２の系統を切り替える。図４では、Ａ系統の送信手段１２が選択されているので、映像信号１５はＡ系統の送信手段１２の一部であるＡ系送信コントローラ４に送られる。次に、Ａ系統に送られた映像信号１５は、金属配線を伝搬して大型映像表示２の表示領域に対応して設けられた複数のＡ系受信部６に送られる。Ａ系受信部６で受信した映像信号１５が表示部１１に表示される。
【００４８】
しかし、Ａ系統の送信手段１２で映像信号１５を送信し表示部１１に映像を表示している場合にＡ系送信コントローラ４が故障すると、Ａ系受信部６に映像信号１５が送信されなくなる。そこで、検出部８は、Ａ系受信部６に映像信号１５が送信されていない異常を検出し、異常信号１６を切替制御部１０に送る。切替制御部１０では複数設けられた検出部８のうち１つからでも異常信号１６が送信されてくると、操作室１にある切替部９に制御信号１７を送り送信手段１２の系統を切り替える。図４のようにＡ系統の送信手段１２が選択されているときには、切替部９はＢ系統の送信手段１２に切り替えて、Ｂ系送信手段１２からの映像信号１５が表示部１１に表示されるようにする。
【００４９】
これにより、本実施の形態でも安定した映像信号１５を大型映像表示装置２に送信することができる映像表示システムとなる。さらに、操作室１にオペレータを常駐させておく必要がなく、人件費のコストを低く抑えることができる映像表示システムが可能である。
【００５０】
さらに、本実施の形態では、切替部９を操作室１に１つ設けるだけで送信手段１２の系統を切り替えることができるため、実施の形態１のように表示領域単位に複数の切替部９を設ける必要がなく部品点数を減らすことができる。これにより、部品コストや組立コストを低減することができる。なお、実施の形態１又は実施の形態２で示した無線通信や光ケーブルの送信手段１２を本実施の形態においても利用することができる。
【００５１】
【発明の効果】
本発明に記載の映像表示システムは、異常検出手段が送信手段の系統の異常を検出し、切替手段を制御して正常な送信手段の系統に切り替える切替制御手段を備えるので、安定した映像信号を大型映像表示装置に送信することができる映像表示システムとなる。さらに、操作室にオペレータを常駐させておく必要がなく、人件費のコストも低く抑えることができる映像表示システムが可能である。
【図面の簡単な説明】
【図１】本発明の実施の形態１に係る映像表示システムのブロック図である。
【図２】本発明の実施の形態２に係る映像表示システムのブロック図である。
【図３】本発明の実施の形態３に係る映像表示システムのブロック図である。
【図４】本発明の実施の形態４に係る映像表示システムのブロック図である。
【符号の説明】
１  操作室、２  大型映像表示装置、３  ビデオシステム、４  Ａ系送信コントローラ、５  Ｂ系送信コントローラ、６  Ａ系受信部、７  Ｂ系受信部、８  検出部、９  切替部、１０  切替制御部、１１  表示部、１２  送信手段、１５映像信号、１６  異常信号、１７  制御信号、２１  Ａ系電気−光変換器、２２  Ｂ系電気−光変換器、２３  Ａ系光−電気変換器、２４  Ｂ系光−電気変換器、３１  検出・切替制御部。
【図１】
2004172701.tif 000003
【図２】
2004172701.tif 000004
【図３】
2004172701.tif 000005
【図４】
2004172701.tif 000006